(57)【特許請求の範囲】
【請求項１】
家屋３の屋根４の下方壁面に、ガスメータ２の上部を覆うように庇状のカバー１３を取付け、その前部をヒンジ構造の開閉板１５に形成し、当該開閉板１５にリミットスイッチ１５ａを設け、前記ガスメータ２には前記リミットスイッチ１５ａからの検知信号を受けて感震器の作動を抑制する解除スイッチ１５ｂを設けたことを特徴とする保護装置を備えたガスメータ。
【発明の詳細な説明】
【技術分野】
【０００１】
この発明は、屋外設置の保護装置を備えたガスメータに関するものである。
【背景技術】
【０００２】
図６に降雪地域における屋外設置のガス供給設備の雪害の状況を示す。１はガス容器、２はガスメータである。このガスメータ２には、震度５強相当以上の大きな地震の時に作動して自動的にガスを止める安全装置、つまり感震器とマイコンを内蔵したマイコンメータがある。
３は家屋、４は屋根、５は雪、６は隣家、７は雪降ろしの状況を示す。
５ａは屋根４からの落雪の状況、５ｂは燐家６での雪降ろし７による落雪の状況を示す。
【０００３】
図７は、一般的な降雪対策として、ガス容器１及びガスメータ２を覆うようにした場合を示す。
（ａ）は、降雪対策として収納庫８を設け、ガス容器１及びガスメータ２は収納庫８内に収容して屋根９上で雪５を受けるようにした事例である。
（ｂ）は、降雪対策として家屋の軒下に囲い１０を設け、ガス容器１は架台１１上に固定しガスメータ２と共に囲い１０で雪５から保護した事例で、囲い１０は杭１２によって下端を支えている。
【０００４】
従来例として、特許文献１の実開平０６-００４６２６号公報「ガスメータ」の考案技術がある。この考案には、雨滴、降雪、落下物等外力から保護するように、ガスメータ保護カバーをガスメータ本体の上方に設けた構造が開示されている。
【０００５】
また、特許文献２の実開平０８-００９１８３号公報「ガスメータ用固定装置」の考案技術がある。この考案には、ガスメータの配管をフレキ管などの可とう性を有する配管の場合でも、ガスメータの設置を可能とし、衝撃を受けたときに、ガスメータが揺動して、感震器が誤作動しないように、壁面に固定可能とした受け金具と支持金具を設けた構造が開示されている。
【０００６】
また、特許文献３の特開２００８-０２６１９４号公報「ガスメーターの取付金具」の発明技術がある。この発明には、パイプ集合スペースの設置制約がある場合でも、容易に対応できるように、平板材料をコ字状に折り曲げて形成した中央部材と両側部材などからなる取付金具の構造が開示されている。
【先行技術文献】
【特許文献】
【０００７】
【特許文献１】実開平０６-００４６２６号公報
【特許文献２】実開平０８-００９１８３号公報
【特許文献３】特開２００８-０２６１９４号公報
【発明の概要】
【発明が解決しようとする課題】
【０００８】
降雪地域では、図６に示すように屋根４からの雪５の落雪５ａや、雪降ろし７の際の落雪５ｂによって屋外設置のガスメータ２が損傷することがあった。また、感震器とマイコンを内蔵している屋外設置のガスメータ２の場合には、落雪５ａ，５ｂによって、マイコンメータの地震検知機能が働いて感震器が誤作動し、ガスの供給がシャットダウンすることがあった。
【０００９】
図７に示す降雪地域での一般的な雪対策は、ガス容器１及びガスメータ２を覆う場合は、次のような課題があった。
（ａ）雪対策として収納庫８を設け、屋根９上で雪５を受けるようにした事例は、収納庫８の設置場所の確保と内部点検が必要である。
（ｂ）雪対策として囲い１０を設け、ガス容器１は架台１１上に固定しガスメータ２とともに囲い１０で保護し、囲い１０は杭１２によって支えた事例は、囲い１０や杭１２の設置と維持管理が大変である。
【００１０】
特許文献１の実開平０６-００４６２６号公報のガスメータ保護カバーの考案技術は、雨滴や少量の降雪及び落下物等外力からの保護は可能だが、落雪対策には不十分であった。
【００１１】
また、特許文献２の実開平０８-００９１８３号公報「ガスメータ用固定装置」の考案技術は、フレキ管などの可とう性を有する配管を壁面に固定する場合には適用できるが、落雪の衝撃には対応が難しく、その衝撃を受けたときにガスメータが揺動して、感震器が誤作動する心配があった。
【００１２】
また、特許文献３の特開２００８-０２６１９４号公報「ガスメーターの取付金具」の発明技術は、パイプ集合スペースの設置制約がある場合の取付金具に適するが、降雪の対応をするものではなかった。
【００１３】
この発明の目的は、上述のような従来技術が有する問題点に鑑みてなされたもので、屋外設置のガスメータ上部に積もる雪対策と、雪の落下や外的衝撃によるガスメータの損傷防止と、感震器とマイコンを内蔵したマイコンメータへの落雪や外的衝撃による地震以外の要因による誤作動の防止を図るための保護装置を備えたガスメータを提供するものである。
【課題を解決するための手段】
【００１４】
請求項１に係る発明の保護装置を備えたガスメータは、家屋３の屋根４の下方壁面に、ガスメータ２の上部を覆うように庇状のカバー１３を取付け、その前部をヒンジ構造の開閉板１５に形成し、当該開閉板１５にリミットスイッチ１５ａを設け、前記ガスメータ２には前記リミットスイッチ１５ａからの検知信号を受けて感震器の作動を抑制する解除スイッチ１５ｂを設けたことを特徴とする。
【発明の効果】
【００１７】
請求項１に係る発明の保護装置を備えたガスメータは、家屋３の屋根４の下方壁面に、ガスメータ２の上部を覆うように庇状のカバー１３を取付け、その前部をヒンジ構造の開閉板１５に形成し、当該開閉板１５にリミットスイッチ１５ａを設け、前記ガスメータ２には前記リミットスイッチ１５ａからの検知信号を受けて感震器の作動を抑制する解除スイッチ１５ｂを設けたので、落雪などの荷重や衝撃を受けた場合に、リミットスイッチ１５ａの検知信号をガスメータ２に設けた解除スイッチ１５ｂに伝えて、ガスメータ２に内蔵されている感震器付きマイコンメータの落雪などの荷重や衝撃による感震器の誤作動に伴う不用意なガス供給の遮断を確実に防止することができる。
【図面の簡単な説明】
【００２０】
【図１】この発明に係る保護装置を備えたガスメータであって、家屋の壁面に取付ける庇状のカバーの構造事例を示す側面説明図である。
【図２】図１のカバーの正面説明図である。
【図３】（ａ）（ｂ）（ｃ）は、庇状のカバーの変化例を示す斜視説明図である。
【図４】は、この発明に係る保護装置を備えたガスメータであって、ガスメータの上端部位置に設ける傘状のカバーを示す説明図である。
【図５】は、この発明に係る保護装置を備えたガスメータであって、ガスメータの全体を覆う頂部鋭角錘状のボックスカバーを示す説明図である。
【図６】従来一般的な事例で、ガス容器及びガスメータを設置し降雪による被害をうけている状況を示す側面説明図である。
【図７】（ａ）（ｂ）は、従来一般の降雪対策を示す説明図である。
【発明を実施するための形態】
【００２１】
この発明に係る保護装置を備えたガスメータの構造を、図１乃至図５に基づいて説明する。
図１は、家屋の屋根の下方壁面に取付ける庇状のカバーの構造事例を示し、図２は正面説明図である。
図３（ａ）（ｂ）（ｃ）は、庇状のカバーの変化例を示す。
図４は、ガスメータ２の上端部位置に設ける傘状のカバーを示す説明図である。
図５は、ガスメータの全体を覆うボックスカバーを示す説明図である。
なお、各図中の共通する部位や部材には同一の番号を付している。
【００２２】
図１に示すようにガスメータ２の上方に庇状のカバー１３を設ける。３は家屋、４は屋根、５は雪を示す。
カバー１３は周縁部にツバ１６を設け、アンカーボルトやネジなどのビス１４を用いて家屋３の壁面に確りと取付けるようにする。このカバー１３は、検針や点検の際に前方から内部が見えるように透明体材料を用いた構造、或いは図の矢印に示すように前部をヒンジ構造の開閉板１５に形成する。
図示例は、ヒンジ構造の開閉板１５にリミットスイッチ１５ａを設け、落雪などの荷重や衝撃を受けた場合に、リミットスイッチ１５ａの検知信号をガスメータ２に設けた解除スイッチ１５ｂに伝えて、ガスメータ２に内蔵されている感震器の作動を抑制するようにしたものである。このリミットスイッチ１５ａと解除スイッチ１５ｂの機構を設けることによって、落雪などの荷重や衝撃による感震器の誤作動に伴う不用意なガス供給の遮断を確実に防止することができる。
【００２３】
図２は、図１の正面図で、庇状のカバー１３を球殻体四分割の曲面体に形成した場合を示す。
この球殻曲面体のカバー１３は、ガスメータ２の形状や覆う範囲に応じて、横長、或いは縦長を採用する。カバー１３の周縁にはツバ１６を設け、ビス１４を用いて取付ける。
【００２４】
このように、ガスメータ２の上方を覆う庇状のカバー１３を設けることによって、屋根４上に積もる雪５がガスメータ２の上に落下しても、カバー１３によって保護され、衝撃を受けることなく、周辺の雪降ろしなどの外的な衝撃を受けることもなく、ガスメータ２を損傷させることがない。
また、感震器とマイコンを内蔵している屋外設置のガスメータ２の場合には、ガスメータ２に内蔵されているマイコンメータが地震以外の衝撃によって誤作動することなくガスの供給がシャットダウンすることがなくなる。
【００２５】
図３は、図２の庇状のカバー１３の変化例を示す。
（ａ）曲面体カバー１３ａの事例で、全体が滑らかな曲面を持ち、透明体で中が見える合成樹脂材などで形成するか、或いは図のように前部を開閉構造に形成する。１４ａはビス止め、１５ａはヒンジ構造の開閉板、１６ａはツバである。
（ｂ）傾斜平板カバー１３ｂの事例で、前部の平板を開閉構造に形成する。１４ｂはビス止め、１５ｂはヒンジ構造の開閉板、１６ｂはツバである。
（ｃ）曲げ板カバー１３ｃの事例で、前部の曲げ板を開閉構造に形成する。１４ｃはビス止め、１５ｃはヒンジ構造の開閉板、１６ｃはツバである。
【００２６】
図１〜図３に示すカバー１３は、家屋３の壁面へ簡単に取付けることができる。また、場所を取らず風雨や外部からの衝撃を保護することができる。
【００２７】
図４は、傘状のカバー１７を、ガスメータ２の上部に直接取り付ける構造を示す。
この傘状のカバー１７は、頂部を鋭角錐状の構造に形成した場合を示す。
１８はヒンジ構造の開閉板で、１９は固定具で着脱自在な構造とする。２０は通気口で空気より比重が軽いガスが上部に滞留しないようにしている。
【００２８】
このように、ガスメータ２の上端位置に頂部が鋭角錐状構造の傘状のカバー１７を直接取付けることによって、屋根４上に積もる雪５がガスメータ２の上に落下しても、傘状のカバー１７によって保護され、衝撃を受けることはない。また、周辺の雪降ろしなどの外的衝撃を受けることもない。さらに、ガスメータ２に内蔵されている感震器付きマイコンメータが誤作動することなく不必要にガスの供給がシャットダウンすることもない。
【００２９】
図５は、ボックスカバー２１で、ガスメータ２の全体を地面から覆う構造を示す。
このボックスカバー２１には、前部にヒンジ構造の開閉板２２をもうけ、頂部２３を鋭角錘体形状の構造に形成した場合を示す。この頂部２３の最上部には通気口２４を設け、空気より比重が軽いガスが上部に滞留しないように形成している。
【００３０】
このように、ガスメータ２の全体を地面から覆うボックスカバー２１を設けることによって、屋根４上に積もる雪５がガスメータ２の上に落下しても、ボックスカバー２１によって保護され、衝撃を受けることはない。また、周辺の雪降ろしなどの外的衝撃を受けることもない。
さらに、風雨や外部からの衝撃をも防止するため、ガスメータ２に内蔵されている感震器付きマイコンメータの誤作動を防止することができる。
【産業上の利用可能性】
【００３１】
この発明に係る保護装置を備えたガスメータは、雪の落下による衝撃、振動の防止対策に限らず、屋外設置のマイコンメータなどの機器への雪害や暴風雨、外的衝撃による誤作動の防止にも適用することができる。
【符号の説明】
【００３２】
１ガス容器      
２ガスメータ      
３家屋      
４屋根      
５雪      
６隣家      
７雪降ろし      
８収納庫      
９屋根板      
１０囲い      
１１架台      
１２クイ      
１３庇状のカバー      
１４ビス止め      
１５開閉板      
１６ツバ      
１７傘状のカバー      
１８開閉板      
１９固定具      
２０通気口      
２１ボックスカバー      
２２開閉板      
２３頂部      
２４通気口      
【図１】
0005637390.tif 000002
【図２】
0005637390.tif 000003
【図３】
0005637390.tif 000004
【図４】
0005637390.tif 000005
【図５】
0005637390.tif 000006
【図６】
0005637390.tif 000007
【図７】
0005637390.tif 000008